(57)【要約】【課題】  本発明の実施形態が解決しようとする課題は、陳列棚の傾斜角度を変更する際に、簡易な操作により傾斜角度を変更するものである。【解決手段】  前面に開口した商品陳列室を有するショーケース本体と、前記商品陳列室内に配置され、後端部が前記ショーケース本体に取付けられて前端部が前記開口に向けて延出する少なくとも左右一対の支持部材と、前記支持部材に対して前後方向にスライド可能に設けられる陳列棚と、前記前記支持部材の延出方向に対して角度を変更可能な傾斜可動部材を備え、  前記傾斜可動部材は、前記支持部材と略平行な第１状態と、前記第１状態に比較して前端側が鉛直下方側に位置し、後端側が鉛直上方側に位置する第２状態と、前記第２状態からに動作する、少なくとも前記傾斜可動部材が前記第２状態である場合に、前記商品陳列棚の後端部が前記傾斜可動部材に当接することを特徴とする。【選択図】図１０
2020099456.tif 000002
【特許請求の範囲】
【請求項１】
前面に開口した商品陳列室を有するショーケース本体と、
前記商品陳列室内に配置され、後端部が前記ショーケース本体に取付けられて前端部が前記開口に向けて延出する少なくとも左右一対の支持部材と、
前記支持部材に対して前後方向にスライド可能に設けられる陳列棚と、
前記前記支持部材の延出方向に対して角度を変更可能な傾斜可動部材を備え、
前記傾斜可動部材は、前記支持部材と略平行な第１状態と、
前記第１状態に比較して前端側が鉛直下方側に位置し、後端側が鉛直上方側に位置する第２状態と、
前記第２状態からに動作する、
少なくとも前記傾斜可動部材が前記第２状態である場合に、前記商品陳列棚の後端部が前記傾斜可動部材に当接することを特徴とするショーケース。
【請求項２】
前記傾斜可動部材は、延出方向から上下方向に回転する回動支点を有しており、
前記回動支点は、前記傾斜可動部材の前端部から所定距離離間した位置に配置されることを特徴とする、請求項１に記載のショーケース。
【請求項３】
前記回動支点は、第１回動支点と、前記第１回動支点よりも前端側に位置する第２回動支点とを有することを特徴とする、請求項２に記載のショーケース。
【発明の詳細な説明】
【技術分野】
【０００１】
本発明の実施形態は、商品陳列棚の傾斜構造を備えたショーケースに関する。
【背景技術】
【０００２】
従来、スーパーマーケットやコンビニエンスストア等に設置されるショーケースには、傾斜角度を変更可能な棚構造を有するものが知られている。
【０００３】
一般的な棚構造としては、ショーケース本体に固定されたブラケットに対して水平または傾斜状態に変更可能な傾斜部材を有しているものが一般的であるが、傾斜角度を変更する際に、後方側を持上げるようにして角度を調節するものが知られている。
【０００４】
例えば、特許文献１では、傾斜板の役割をする棚板の後方に上下方向に延びる長孔を有し、長孔に固定部材を挿入させて棚板を所定角度に保持している。
【先行技術文献】
【特許文献】
【０００５】
【特許文献１】特開２０１４−２３６７９２号公報
【特許文献２】特開２０１８−１１７７３６号公報
【発明の概要】
【発明が解決しようとする課題】
【０００６】
しかしながら、上述したショーケースでは、特許文献１のように陳列棚の傾斜角度を変更する際に、傾斜板の後方を操作しなければならないため、作業者はショーケース庫内の後方まで手を延ばす必要があり、作業性が悪いという問題があった。
また、上述した特許文献２のような構成では、部品点数の増加により、傾斜板やブラケットを含めた構造体の幅が広がるため商品陳列スペースを狭めてしまうという問題があった。
【課題を解決するための手段】
【０００７】
本発明に係る実施形態に記載のショーケースは上記課題を解決するために、前面に開口した商品陳列室を有するショーケース本体と、前記商品陳列室内に配置され、後端部が前記ショーケース本体に取付けられて前端部が前記開口に向けて延出する少なくとも左右一対の支持部材と、前記支持部材に対して前後方向にスライド可能に設けられる陳列棚と、前記前記支持部材の延出方向に対して角度を変更可能な傾斜可動部材を備え、
前記傾斜可動部材は、前記支持部材と略平行な第１状態と、前記第１状態に比較して前端側が鉛直下方側に位置し、後端側が鉛直上方側に位置する第２状態と、前記第２状態からに動作する、少なくとも前記傾斜可動部材が前記第２状態である場合に、前記商品陳列棚の後端部が前記傾斜可動部材に当接することを特徴とする。
【図面の簡単な説明】
【０００８】
【図１】一実施形態のショーケースを示す斜視図。
【図２】同ショーケースの一部縦断面概略を示す側面図。
【図３】同ショーケースの陳列棚と支持部材の斜視図。
【図４】同ショーケースの陳列棚と支持部の側面図。
【図５】同ショーケースの支持部材を陳列室内から見た側面概略図。
【図６】同ショーケースの傾斜板の概略斜視図。
【図７】同ショーケースの陳連棚引出後の傾斜板を示す側面概略図。
【図８】同ショーケースの傾斜板を傾斜させている状態の側面概略図。
【図９】同ショーケースの傾斜板を傾斜させ固定した状態の側面概略図。
【図１０】同ショーケースの傾斜板を傾斜させ陳列棚を収納した状態の側面概略図。
【発明を実施するための形態】
【０００９】
以下、実施形態のショーケースを、図面を参照して説明する。
【００１０】
図１に示すように、本実施形態のショーケース１は、例えばスーパーマーケットやコンビニエンスストア等の店舗内に据え付けて用いられる前面開口型の冷蔵ショーケースである。ここで、図１におけるＸ方向を左右方向（側面方向）、Ｙ１を前方、Ｙ２を後方、Ｚ１を鉛直上方、Ｚ２を鉛直下方とする。
ショーケース１は、前面が開口した庫内陳列室１０を備えた断熱性の本体部１１を有しており、庫内陳列室１０内には、商品等を陳列するための複数の陳列棚１８が上下方向に配列されている。
店舗内に配置されるショーケース１は、庫内陳列室１０の開口面側を前方とし、後方側を店舗内壁に対向して配置される。
ショーケース１の左右両端には側板１７が設けられており、庫内陳列室１０とショーケース１の左右外側の空間とを仕切っている。
側板１７は、前方側が切欠かれた略Ｃ字形に形成された断熱板１７ａと、断熱板１７ａの切欠き部分に取付けられた窓部１７ｂを有する。窓部１７ｂは、ガラス等の透明な材料で形成されており、庫内陳列室１０を左右方向から視認することができる。
また、図１に示すショーケース１は、２つの本体部１１を、仕切り板５を介して左右方向に連結された状態を示している。
ここで、本実施形態では、図１に示すように２つの本体部１１を左右方向に連結したショーケース１を示しているが、本体部１１の数は特に限定されず、１つでもよいし３つ以上を連結してもよい。また、仕切り板５を設けずに庫内陳列室１０を左右方向に連通させてもよい。
【００１１】
本体部１１は、上下及び後面を覆う断熱壁１２を有している。すなわち、断熱壁１２は、上下方向に延びる後部断熱壁１２ａと、後部断熱壁１２ａの上端部から前方に延びる上部断熱壁１２ｂと、後部断熱壁１２ａの下端部から前方へ延びる下部断熱壁１２ｃを有しており、図２に示すように縦方向断面において、前方が開口する略Ｃ字形に構成されている。断熱壁１２は、下方に配置される基台６５によって支持されている。
略Ｃ字形に構成された断熱壁１２を有する本体部１１の庫内側には、上方に配置される天板１５と後方に配置される後板１３と下方に配置される底板１４が連続して設けられており、庫内陳列室１０の上面、後面、下面を覆っている。
陳列室１０は、商品を陳列する陳列棚１８が上下方向に複数設けられる。陳列棚１８は後述する支柱部６１に取り付けられる左右１対の支持部材７０の上方に配置される。支持部材７０はブラケット５０を含む複数の部材を組合せた構造である。
【００１２】
底板１４と下部断熱壁１２ｃとの間には下部ダクトＤ１が形成され、後板１３と後部断熱壁１２ａとの間には後部ダクトＤ２が形成され、天板１５と上部断熱壁１２ｂとの間には上部ダクトＤ３が形成されている。下部ダクトＤ１と後部ダクトＤ２と上部ダクトＤ３は順次連通しており、庫内陳列室１０への気流循環流路の一部を形成している。
後部ダクトＤ１の前方側には気流を吸い込むための吸込口６６が上方に開口するように設けられている。また、吸込口６６には図示しないが、塵埃や落下物の後部ダクトＤ１内への侵入を防止する吸込口カバーが設けられている。吸込口カバーは板材や網目状、格子状の部材を組合せたものが好ましい。
【００１３】
天板１５の前方端部には、上部ダクトＤ３を流通した気流を下方へ吹出すための吹出し口１６が設けられており、吹出し口１６には下方に向かう気流を整流する整流部材１６ａが設けられている。整流部材１６ａは、上部ダクトＤ３から庫内陳列室１０内へ下方向に気流を整流するための多数の通風路を有するハニカム状の部材である。
【００１４】
後板１３は、上下方向に延びており、上方に向かうにしたがって後方側に傾斜している。後板１３の左右両端には、上下方向に延びる支柱部６１が設けられている。この支柱部６１には、図示しないが、上下方向に間隔を有して並列配置された複数の係止孔が形成されており、複数の陳列棚１８を支持する支持部材７０を構成するブラケット５０の後端に設けられたフック５０ａが着脱可能に取付けられている。陳列棚１８のフック１８ａを係合させる支柱部６１の係止孔の位置を変えることで、支柱部６１に対する陳列棚１８の上下方向の位置を変更させることができる。
【００１５】
下部ダクトＤ１は、仕切り板６７で前後方向に仕切られている。仕切り板６７の中央付近には図示しない孔部が形成されており、孔部を介して気流を送風する送風機６８が取付けられている。
下部ダクトＤ１と後部ダクトＤ２とが連通する部分には、冷却器６９が取付けられており、冷却器６９近傍には図示しない弁装置が配置されている。冷却器６９および弁装置は、ショーケース１の外部に設けられた、圧縮機や凝縮器等を有する図示しない冷凍回路に接続されている。冷却器６９内には、冷凍回路により冷却された冷媒が流れる。
【００１６】
陳列棚１８及び支持部７０の構造について、図３乃至図６を用いて説明する。
図３に示すように、左右対称な一対の支持部材７０とその上方に陳列棚１８が配置されている。陳列棚１８の上面は、前後左右の端部に上方へ向かって突出する係止部４１ａ，４１ｂ，４１ｃを有しており、陳列された商品の落下を防止するように構成されている。
また、陳列棚１８の左右両側面には下方に突出する板状の突出部４４があり、突出部４４の前方側端部には、貫通孔４５が設けられている。
【００１７】
支持部材７０のブラケット５０は、上方に位置する陳列棚１８とスライドレール機構８０を介して連結されている。
詳述すると、スライドレール機構８０は、ブラケット５０に固定される固定側レールと、固定側レールに対して中間レールを介して前後方向に滑走可能に支持された引出側レールを有している。固定側レールは庫内内側に配置され、引出側レールは庫内外側に位置する配置となっている。
【００１８】
さらに、引出側レールには上方の陳列棚１８から突出する突出部４４の貫通孔４５にネジまたはピン等を用いて回動自在に軸支されている。
【００１９】
また、引出レールの前方端部にはストッパーレバー８６が設けられており、ストッパーレバー８６を下方に押すとスライドのロックが解除され、引出側レール及び中間レールが前後にスライド可能となっている。
このような構成により、スライドレール機構８０を介して、陳列棚１８はブラケット５０に対して前後方向に滑走自在且つ貫通孔４５を軸に回動自在に連結されている。
【００２０】
ブラケット５０，５０の庫内側内面には、ブラケット５０に対して傾斜角度を変更可能な傾斜板９０が設けられている。すなわち、図４に示すように、庫内外側から、陳列端１８の突出部４４、スライドレール機構８０、ブラケット５０、傾斜板９０の順に配置されている。
【００２１】
傾斜板９０は、ブラケット５０に対して略平行な第１状態と、第１状態に比較して後方端部が上方に位置して傾斜した第２状態とに傾斜角度を変更可能に構成されている。
【００２２】
図５は、傾斜板９０の庫内側から見た側面及び陳列棚１８との位置関係を示す概略側面図である。
傾斜板９０は、前後方向に長さＬを有する略平板状の板金部材である。ここで、長さＬはブラケット５０の前後方向長さと略同一か短い長さ寸法に形成されていることが好ましい。傾斜板９０の前端部９３には、下方に突出し下端部からブラケット５０側の側面に向かって折り曲げられて形成された操作部９３ａが設けられている。操作部９３ａは作業者が手動で操作しやすい形状に構成されている。
【００２３】
傾斜板９０の前端部９３から後方側に第１距離Ｌａの位置に支点ガイド孔９５が設けられている。支点ガイド孔９５は下斜め前方側に向かって凹陥したガイド凹部９５ａと、ガイド凹部９５ａの下端から上斜め前方側に向かって凹陥した第１ストッパ凹部９５ｂを有しており、略Ｊ字状の貫通孔状に形成されている。ここで第１ストッパ凹部９５ｂの前端は支点ガイド孔９５の後端よりも低い位置に配置されて形成されている。
【００２４】
支点ガイド孔９５から後方側に第２距離Ｌｂ離間したガイド孔９７が設けられている。ガイド孔９７は、支点ガイド孔９５を中心に曲率半径が略Ｌｂとなる上下方向に延出した略円弧状に形成され、その下端には上斜め前方側に向けて凹陥した第２ストッパ凹部９７ａが形成されている。第２距離Ｌｂは傾斜板９０の最大傾斜角度と傾斜板９０の高さ寸法によって最適な値に設定されるが、好ましくはＬａ／３＜Ｌｂ＜Ｌａの範囲とすることで、傾斜板９０の動作を妨げることなく、最大傾斜角度までスムースに動作させることができる。
【００２５】
支点ガイド孔９５には、ブラケット５０に固定された第１ガイドピン１１０が挿通されており、ガイドピン１１０は支点ガイド孔９５、ガイド凹部９５ａ、第１ストッパ凹部９５ｂ内を相対的に回動及び滑動自在となっている。
【００２６】
また、ガイド孔９７には、ブラケット５０に固定された第２ガイドピン１１１が挿通しており、傾斜板９０を第２ガイドピン１１１がガイド孔９７内を相対的に滑動自在となっている。
すなわち、傾斜板９０は、第１ガイドピン１１０と支点ガイド孔９５を回動軸として、回転動作可能となっている。
第ガイドピン１１０および第２ガイドピン１１１の先端は傘状に形成されてり、支点ガイド孔９５、ガイド凹部９５ａ、第１ストッパ凹部９５ｂまたはガイド孔９７、第２ストッパ凹部９７ａからそれぞれ左右方向に脱落しないように構成されている。
【００２７】
傾斜板９０の長さ寸法Ｌと第１距離Ｌａとの間には、Ｌ／３≦Ｌａ≦２Ｌ／３の関係にあるのが好ましい。
【００２８】
また、傾斜板９０の上部にはブラケット５０の上面部５１の一部を覆うように形成された上端面部９１が設けられている。図６に示すように、上端面部９１は前端部９３から第３距離Ｌｃだけ離間した上端面前端部９１ａから後端部９４にかけて平板状に形成されている。また上端面部９１の上面には、傾斜板９０が傾斜した第２状態とし、陳列棚１８を前後にスライドさせた際に陳列棚１８後端部が滑走するための滑走面９１ｂが設けられている。
【００２９】
第３距離Ｌｃは、第１距離Ｌａよりも短く形成されている。特に、Ｌａ／３＜Ｌｃ＜２Ｌａ／３の範囲であることが好ましい。
【００３０】
次に、陳列棚１８の傾斜角度を変更する手順について、図７ないし図１０を用いて説明する。
【００３１】
ストッパーレバー８６を操作してスライドレール機構８０のロックを解除し陳列棚１８を前方へ引き出すと、図７に示す状態となる。ここで、操作部９３ａを下斜め後方に向かい押下するよう操作すると、第１回動支点となる支点ガイド孔９５および第１ガイドピン１１０を中心として傾斜板９０が回動する。これに合せて、第２ガイドピン１１１はガイド孔９７を相対的に移動する。
【００３２】
すなわち、傾斜板９０の前端部９３が下方に移動し、後端部９４が上方に持ち上がる。
さらに、操作部９３ａを下斜め後方に向かい押下すると、図８のような状態となる。
すなわち、ブラケット５０の上端面５１に傾斜板９０の上端面前端部９１ａが当設し、上端面前端部９１ａを中心として傾斜板９０が回動する。すなわち、第１回動支点を中心とする回転から、第２回動支点である上端面前端部９１ａを中心とする回転に移行する。
これにより、第１ガイドピン１１０は、支点ガイド孔９５を離れ、第１ガイド凹部９５ａを相対的に滑動する。また、第２ガイドピン１１１もガイド孔９７を下方へ相対的に滑動する。
ここで、ブラケット５０の上面部５１は、第１ガイドピン１１０前方側を堺に段差状であって、前方側上面５１ａが低く後方側５１ｂが高く形成されている。傾斜板９０が平行な第１状態において上端面前端部９１ａはブラケット５０の上面部５１の前方側上面５１ａと所定高さを有し離間している。
【００３３】
図８の状態からさらに、操作部９３ａを下斜め後方または後方側に向かって押下すると、傾斜板９０が後方側へ移動し、図９に示すように、第１ガイドピン１１０が第１ストッパ凹部９５ｂに係合し、第２ガイドピン１１０が第２凹部９７ａに係合する位置へ移動する。
この状態で、傾斜板９０の傾斜角度が固定された第２状態となる。
【００３４】
この状態で、陳列棚１８を後方側へ移動することで、傾斜した傾斜板９０の上端面部９１に形成された滑走面９１ｂを陳列棚１８の後端部が滑走しながら傾斜していく。
そしてスライドレール機構８０のロックにより固定され、図１０のように陳列棚１８の傾斜状態が保持される。
【００３５】
また、傾斜板９０が傾斜した第２状態から、略水平な第１状態へ移行する場合は、上記手順の逆の手順により移行することができる。すなわち、ストッパーレバー８６を操作して、陳列棚１８を前方へ引出した後、図９の波線矢印に示すように、傾斜板９０の操作部９３ａを前方または上斜め前方へ引き出す操作により、第１ガイドピン１１０が第１ストッパ凹部９５ｂから離脱し、第２ガイドピン１１０が第２凹部９７ａから離脱する。そして、傾斜板９０は自重によって第１状態へ移行する。
【００３６】
上記のような形態のショーケースとすることで、傾斜板９０の前端側の操作により、棚板の傾斜角度を容易に変更することができ、高い操作性を有するショーケースとすることができる。
また、傾斜可動部材である傾斜板９０が、回動支点として機能する支点ガイド孔９５および第１ガイドピン１１０または上端面部９１の上端面前端部９１ａを中心に回動することで、作業者が傾斜板１８の前端部に設けられた操作部を押下するという一つの操作により、容易に傾斜角度を変更することができる。
また、前端の操作部９３から、より離間した支点ガイド孔９５および第１ガイドピン１１０を第１回動支点として傾斜回動を開始して、その後第１回動支点よりも操作部９３に近い位置にある上面部前端９１ａを第２回動支点として傾斜回動することにより、動作開始時に最も大きな力を必要とする動作開始時の力を軽減しつつ、動作開始後に必要となる傾斜角度まで移行することができる。このため、より作業者の負担を軽減することができる。また、回動支点を複数に分散するため、傾斜板９０への負荷も軽減でき、疲労破壊等の破損を防止することができる。
特に、第２回動支点での回動動作を、傾斜板９０を傾斜状態で固定するための作動範囲とすることで、より簡易な操作により傾斜角度の変更を行うことができる。
また、傾斜板９０の寸法Ｌに対して、第１距離Ｌａ、第２距離Ｌｂ、第３距離Ｌ３を所定の範囲とすることで、傾斜角度変更にかかる力をより少なく、安定した操作が可能となる。
また、傾斜機構、操作部、傾斜固定機構を傾斜板に集約することができ、部品点数の削減が可能となる。
また、ブラケット５０と傾斜板９０とが相対的に移動可能に係止される構造となっているため、部品点数が少なく、安価で、商品陳列室を圧迫することなく十分なスペースを確保できるショーケースを提供することができる。
【００３７】
上記実施形態では、１段階で傾斜角度を変更する構成としたが、複数段階で角度変更する構成としてもよい。   
【００３８】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれる。 
【符号の説明】
【００３９】
１…ショーケース、１０…庫内陳列室、１１…本体部、１６…吹出し口、陳列棚１８、…、７０…支持部材、８０…スライドレール機構、９０…傾斜板
【図１】
2020099456.tif 000003
【図２】
2020099456.tif 000004
【図３】
2020099456.tif 000005
【図４】
2020099456.tif 000006
【図５】
2020099456.tif 000007
【図６】
2020099456.tif 000008
【図７】
2020099456.tif 000009
【図８】
2020099456.tif 000010
【図９】
2020099456.tif 000011
【図１０】
2020099456.tif 000012